(57)【要約】【課題】本発明は、ユーザが通信接続したい通信機器の選択を容易にすることを目的とする。【解決手段】本発明の撮像装置１００は、通信機器と通信接続できる撮像装置１００であって、撮像手段２０３と、撮像手段２０３によって撮像された撮像画像４００に、自機に対する操作に基づいて撮像画像４００に写された被写体に対して指す位置が相対的に動く指示画像６０２を重畳させた重畳画面６００を表示させる制御を行う表示制御手段と、重畳画面６００の撮像画像４００に写された通信機器と指示画像６０２が指す位置とに基づいて、通信接続の対象となる通信機器を選択する選択手段と、選択手段によって選択された通信機器と通信接続を行う接続手段と、を備えることを特徴とする。【選択図】図６
2018110283.tif 000002
【特許請求の範囲】
【請求項１】
通信機器と通信接続できる撮像装置であって、
撮像手段と、
前記撮像手段によって撮像された撮像画像に、自機に対する操作に基づいて前記撮像画像に写された被写体に対して指す位置が相対的に動く指示画像を重畳させた重畳画面を表示させる制御を行う表示制御手段と、
前記重畳画面の前記撮像画像に写された前記通信機器と前記指示画像が指す位置とに基づいて、通信接続の対象となる前記通信機器を選択する選択手段と、
前記選択手段によって選択された前記通信機器と通信接続を行う接続手段と、を備えることを特徴とする撮像装置。
【請求項２】
前記指示画像が指す位置を前記撮像画像に写された被写体に対して相対的に動かすための自機に対する操作は、自機の姿勢、又は、自機の位置を変える操作であり、
前記表示制御手段は、前記指示画像を前記重畳画面の固定した位置に表示し、前記撮像手段によって撮像された前記撮像画像を更新する制御を行うことを特徴とする請求項１に記載の撮像装置。
【請求項３】
前記指示画像が指す位置を前記撮像画像に写された被写体に対して相対的に動かすための自機に対する操作は、自機の姿勢を変える操作であり、
自機の姿勢を検知する検知手段を更に備え、
前記表示制御手段は、前記検知手段の検知に基づいて、前記重畳画面の中で前記指示画像を動かす制御を行うことを特徴する請求項１に記載の撮像装置。
【請求項４】
前記指示画像は、前記重畳画面の所定の位置から伸びた線である通信接続線であり、
前記指示画像が指す位置は、前記通信接続線の端部であることを特徴とする請求項１乃至３のいずれか１項に記載の撮像装置。
【請求項５】
前記選択手段は、前記指示画像が指す位置が、前記重畳画面における前記通信機器に対応する領域である機器領域に所定時間以上含まれたとき、前記指示画像が指す位置が所定時間以上含まれた前記機器領域に対応する前記通信機器を、通信接続の対象となる前記通信機器として選択することを特徴とする請求項１乃至４のいずれか１項に記載の撮像装置。
【請求項６】
前記選択手段は、前記重畳画面の初期状態において前記指示画像が指す位置が前記機器領域に含まれるとき、前記指示画像が指す位置が前記機器領域から離れた後に、前記指示画像が指す位置が所定時間以上含まれた前記機器領域に対応する前記通信機器を、通信接続の対象となる前記通信機器として選択することを特徴とする請求項５に記載の撮像装置。
【請求項７】
前記選択手段は、前記指示画像が指す位置が、前記通信機器に対応する領域である機器領域の少なくとも一部を囲むように、前記重畳画面において前記通信機器に対して相対的に移動したとき、前記指示画像が指す位置が少なくとも一部を囲んだ前記機器領域に対応する前記通信機器を、通信接続の対象となる前記通信機器として選択することを特徴とする請求項１乃至４のいずれか１項に記載の撮像装置。
【請求項８】
前記重畳画面には、更に、前記撮像画像に写された前記通信機器の機器情報が表示された機器情報部が重畳して表示されていることを特徴とする請求項５乃至７のいずれか１項に記載の撮像装置。
【請求項９】
前記通信機器の前記機器情報を取得する取得手段と、
前記撮像画像に写された前記通信機器の像に基づいて前記通信機器を特定し、前記撮像画像に写された前記通信機器と前記取得手段によって取得された前記機器情報とを対応付ける対応付け手段と、を更に備え、
前記表示制御手段は、前記対応付け手段による対応付けに基づいて、前記撮像画像に写された前記通信機器と対応付けられた前記機器情報が表示された前記機器情報部を表示させる制御を行うことを特徴とする請求項８に記載の撮像装置。
【請求項１０】
前記対応付け手段は、前記通信機器が備える表示手段に前記通信機器を特定可能な情報を表示させる制御を行い、前記撮像画像に写された前記通信機器を特定可能な情報に基づいて前記通信機器を特定し、前記撮像画像に写された前記通信機器と前記取得手段によって取得された前記機器情報とを対応付けることを特徴とする請求項９に記載の撮像装置。
【請求項１１】
前記機器領域は、前記重畳画面の前記撮像画像に写された前記通信機器の像の少なくとも一部、又は、前記重畳画面における前記機器情報部の少なくとも一部であることを特徴とする請求項８乃至１０のいずれか１項に記載の撮像装置。
【請求項１２】
前記表示制御手段は、前記取得手段によって取得された前記機器情報に基づいて、自機が通信接続できる前記通信機器と、自機が通信接続できない前記通信機器と、が区別された前記重畳画面を表示させる制御を行うことを特徴とする請求項９乃至１１のいずれか１項に記載の撮像装置。
【請求項１３】
前記表示制御手段は、前記取得手段によって取得された前記機器情報に基づいて、通信接続の対象として推奨される前記通信機器と、通信接続の対象として推奨されない前記通信機器と、が区別された前記重畳画面を表示させる制御を行うことを特徴とする請求項９乃至１１のいずれか１項に記載の撮像装置。
【請求項１４】
自機が対応する通信規格、及び、前記取得手段によって取得された前記機器情報に含まれる通信規格に基づいて、推奨される前記通信機器を決定する決定手段を更に備え、
前記表示制御手段は、前記決定手段の決定に基づいて、前記重畳画面を表示させる制御を行うことを特徴とする請求項１３に記載の撮像装置。
【請求項１５】
前記指示画像が指す位置に基づいて、前記通信機器との通信接続で使用する通信規格を選択する第２選択手段を更に備え、
前記接続手段は、前記選択手段によって選択された前記通信機器について前記第２選択手段によって選択された通信規格で、前記選択手段によって選択された前記通信機器と通信接続を行うことを特徴とする請求項８乃至１４のいずれか１項に記載の撮像装置。
【請求項１６】
前記接続手段によって通信接続された前記通信機器に対して所定のデータを送信する送信手段を更に備えることを特徴とする請求項１乃至１５のいずれか１項に記載の撮像装置。
【請求項１７】
通信機器と通信接続でき、撮像手段を備える撮像装置の制御方法であって、
前記撮像手段によって撮像された撮像画像に、自機に対する操作に基づいて前記撮像画像に写された被写体に対して指す位置が相対的に動く指示画像を重畳させた重畳画面を表示させる制御を行う表示制御ステップと、
前記重畳画面の前記撮像画像に写された前記通信機器と前記指示画像が指す位置とに基づいて、通信接続の対象となる前記通信機器を選択する選択ステップと、
前記選択ステップによって選択された前記通信機器と通信接続を行う接続ステップと、
を備えることを特徴とする撮像装置の制御方法。
【請求項１８】
通信機器と通信接続でき、撮像手段を備える撮像装置を制御するためのプログラムであって、
前記撮像手段によって撮像された撮像画像に、自機に対する操作に基づいて前記撮像画像に写された被写体に対して指す位置が相対的に動く指示画像を重畳させた重畳画面を表示させる制御を行う表示制御ステップと、
前記重畳画面の前記撮像画像に写された前記通信機器と前記指示画像が指す位置とに基づいて、通信接続の対象となる前記通信機器を選択する選択ステップと、
前記選択ステップによって選択された前記通信機器と通信接続を行う接続ステップと、コンピュータに実行させるためのプログラム。
【発明の詳細な説明】
【技術分野】
【０００１】
本発明は、撮像装置、撮像装置の制御方法、及び、プログラムに関する。
【背景技術】
【０００２】
近年、無線ＬＡＮやＢｌｕｅｔｏｏｔｈ（登録商標）といった無線通信規格を有し、無線通信を利用してデータの送受信を行う通信機器が普及している。これらの無線通信機能を使用するためにはユーザが自身の通信機器と接続したい通信機器との間の接続設定を行わなくてはいけない。従来の接続設定の方式として、例えば周辺に存在している通信機器の機器名を自機にリスト表示し、リストからユーザが接続したい通信機器を選択する方式がある。
また、特許文献１には、自機から見た特定の方向に存在するデータ処理装置（スキャナー、プリンター）により実行可能なデータ処理に伴うデータの流れを示すデータフロー情報を表示する表示部を備える携帯端末が開示されている。
【先行技術文献】
【特許文献】
【０００３】
【特許文献１】特開２０１３−１６１２４６号公報
【発明の概要】
【発明が解決しようとする課題】
【０００４】
従来の通信接続の方式では、接続可能な周辺にある通信機器がリスト表示される。しかしながら、リスト表示ではユーザが通信接続したい通信機器以外の周辺の通信機器の情報も表示され、ユーザが接続したいと考えている通信機器がどれなのかを判断するのが難しい。
また、特許文献１の技術は、機器間のデータフローの流れを表示するものの、通信接続を容易にするものではなかった。
【０００５】
本発明は、通信接続したい通信機器をユーザが容易に選択できるようにすることを目的とする。
【課題を解決するための手段】
【０００６】
本発明の撮像装置は、通信機器と通信接続できる撮像装置であって、撮像手段と、前記撮像手段によって撮像された撮像画像に、自機に対する操作に基づいて前記撮像画像に写された被写体に対して指す位置が相対的に動く指示画像を重畳させた重畳画面を表示させる制御を行う表示制御手段と、前記重畳画面の前記撮像画像に写された前記通信機器と前記指示画像が指す位置とに基づいて、通信接続の対象となる前記通信機器を選択する選択手段と、前記選択手段によって選択された前記通信機器と通信接続を行う接続手段と、を備えることを特徴とする。
【発明の効果】
【０００７】
本発明によれば、通信接続したい通信機器をユーザが容易に選択できる。
【図面の簡単な説明】
【０００８】
【図１】デジタルカメラの外観図である。
【図２】デジタルカメラのブロック図である。
【図３】第１実施形態の可視化接続処理のフローチャートである。
【図４】第１実施形態の表示部の表示の例を示す図である。
【図５】第１実施形態の機器情報管理テーブルの例を示す図である。
【図６】第１実施形態の重畳画面の例を示す図である。
【図７】第１実施形態の重畳画面の例を示す図である。
【図８】第１実施形態の第１の無線通信装置のＬＣＤの表示例を示す図である。
【図９】第２実施形態の可視化接続処理のフローチャートである。
【図１０Ａ】第２実施形態の重畳画面の例を示す図である。
【図１０Ｂ】第２実施形態の重畳画面の例を示す図である。
【図１０Ｃ】第２実施形態の重畳画面の例を示す図である。
【図１０Ｄ】第２実施形態の重畳画面の例を示す図である。
【発明を実施するための形態】
【０００９】
＜第１実施形態＞
まず、図１（ａ）、（ｂ）を参照して、本実施形態のデジタルカメラ１００について説明する。図１（ａ）は、デジタルカメラ１００の正面図である。図１（ｂ）は、デジタルカメラ１００の背面図である。
１０１は、撮像光学系であり、レンズ及びシャッターからなる。撮像光学系１０１は、被写体像をＣＣＤセンサ等の撮像素子の受光面上に結像させる。
１０２は、液晶ディスプレイ等の表示部であり、画像や各種情報を表示する。
１０３は、撮影指示を行うためのシャッターボタンである。
１０４は、操作部であり、ユーザからの各種操作を受け付ける各種スイッチ、ボタン、タッチパネル等の操作部材より成る。
１０５は、電源スイッチであり、電源オン、電源オフを切り替える。
１０６は、充電可能なバッテリである。
１０７は、バッテリ１０６を装着するためのバッテリ収納部である。
１０８は、レンズ鏡筒（単に鏡筒とも呼ぶ）であり、デジタルカメラ１００の外装部内で収納状態から繰り出し自在に可動させることができる。鏡筒１０８は撮像光学系１０１を収納している。
【００１０】
次に、図２を参照して、デジタルカメラ１００の構成について説明する。図２は、デジタルカメラ１００のブロック図である。
２０１は、撮影レンズである。２０２は、シャッターである。撮像光学系１０１は、撮影レンズ２０１、及び、シャッター２０２で構成されている。
２０３は、撮像手段の例であるＣＣＤセンサ等の撮像部であり、光学像を電気信号に変換する。
２０４は、画像処理部であり、撮像部２０３の出力信号のアナログ信号処理を行う相関二重サンプリング部、所望の増幅度に設定可能なプログラマブル・ゲイン・アンプ部、アナログデジタルコンバータ部で構成されている。
２０５は、タイミング信号発生部であり、撮像部２０３、及び、画像処理部２０４を、それぞれ動作させる信号を発生する。
２０６は、撮像光学系駆動部であり、撮影レンズ２０１、及び、シャッター２０２を、それぞれ動作させる。
【００１１】
２０７は、システム制御部であり、デジタルカメラ１００全体を制御する。システム制御部２０７がＲＯＭ等に記憶されているプログラムに基づき処理を実行することによって後述の図３等に示すシステム制御部２０７の処理が実現される。画像処理部２０４からの画像信号は、システム制御部２０７を介して、メモリ２１１に書き込まれる。メモリ２１１は、撮像部２０３によって得られ画像処理部２０４によりデジタルデータに変換された画像データや、表示部１０２に表示するための画像データを格納する。メモリ２１１は、所定枚数の静止画像や所定時間の動画像及び音声を格納するのに十分な記憶容量を備えている。また、メモリ２１１は画像表示用のメモリ（ビデオメモリ）を兼ねている。システム制御部２０７は、メモリ２１１に格納されている画像表示用のデータに、必要に応じ所定のデータを重畳し、表示部１０２に供給する。こうして、メモリ２１１に書き込まれた表示用の画像データは、液晶ディスプレイ等の表示器である表示部１０２により表示される。
【００１２】
シャッターボタン１０３、操作部１０４は、システム制御部２０７に各種の動作指示を入力するための操作手段である。シャッターボタン１０３からの操作途中、いわゆる半押し（撮影準備指示）信号で、システム制御部２０７は、ＡＦ（オートフォーカス）処理、ＡＥ（自動露出）処理、ＡＷＢ（オートホワイトバランス）処理等の動作を開始する。シャッターボタン１０３からの操作完了、いわゆる全押し（撮影指示）信号で、システム制御部２０７は、いわゆる静止画撮影の動作を開始する。より具体的には、システム制御部２０７は、撮像部２０３からの信号読み出しから、メモリ２１１、又は、不図示のメモリカード等の記録媒体に画像データを書き込むまでの一連の撮影処理を行う。
【００１３】
２０９は、通信部であり、無線アンテナ２０８を介し、周辺の通信機器とデータ信号の送受信を行うことができる。このデータ信号には、機器情報又は位置情報等のデータが含まれる。
通信部２０９は、本実施形態では複数の通信規格に対応しており、第１の通信規格と第２の通信規格に対応しているものとする。第１の通信規格、及び、第２の通信規格は、例えばＩＥＥＥ８０２．１１やＩＥＥＥ  ８０２．１５．１に準拠する通信規格とする。
通信部２０９は、同じ通信規格を持つ通信機器と通信接続（ネットワークの接続）を行い、画像や動画の送信、及び、受信を行うことができる。
２１０は、検出部であり、ユーザの指の動作又は手の動作、目の視線を検出する。検出部２１０は、例えばモーションセンサ等があげられ本実施形態ではタッチ操作検出用のセンサとする。
２１２は、検知手段の例である加速度センサであり、自機であるデジタルカメラ１００の姿勢を検知する。
【００１４】
次に、図３を参照して、可視化接続処理について説明する。図３は、可視化接続処理のフローチャートである。可視化接続処理は、通信機器の機器情報を可視化して、選択された通信機器と通信接続を行う処理である。
ステップＳ３０１において、システム制御部２０７は、操作部１０４を介してユーザによって行われるネットワーク可視化モードに入る操作を検知する。システム制御部２０７は、デジタルカメラ１００をネットワーク可視化モードにする制御を行う。ネットワーク可視化モードでは、図３の可視化接続処理によって、通信機器の機器情報が可視化され、通信機器との通信接続が行われる。なお、デジタルカメラ１００は、常に機器情報を可視化していなくてもよい。デジタルカメラ１００は、操作部１０４で一定の操作を検出したとき、又は、ユーザが機器情報の可視化を行いたい旨を判断できたときに、ネットワーク可視化モードにする制御を行い、機器情報の可視化を行えばよい。
【００１５】
ステップＳ３０２において、システム制御部２０７は、通信部２０９を介して周辺の通信機器の機器情報を取得する。機器情報には、機器名及び型番の少なくとも何れか、並びに、通信機器が対応している通信規格が含まれる。システム制御部２０７は、取得した機器情報を、メモリ２１１又はシステム制御部２０７が備えるメモリ等に記憶させて管理する。システム制御部２０７は、周辺の通信機器から機器情報を取得する。ステップＳ３０２の処理は、取得手段による処理の例である。
ここで、機器情報の管理方法の例について説明する。まず、図４を参照して、デジタルカメラ１００の周辺にある通信機器の例について説明する。図４は、表示部１０２の表示の例を示す図であり、例えば、デジタルカメラ１００が、ライブビュー機能等によって、図３の可視化接続処理の開始前に、撮像した撮像画像４００を表示部１０２に表示させた状態を表す。図４に示す例では、撮像画像４００に、第１の無線通信装置４０１、及び、第２の無線通信装置４０２が写されている。第１の無線通信装置４０１、及び、第２の無線通信装置４０２は、共に、デジタルカメラ１００の周辺にあり、無線通信が可能な通信機器である。第１の無線通信装置４０１、及び、第２の無線通信装置４０２は、少なくとも１つの無線の通信規格に対応している。
図４に示す例では、システム制御部２０７は、通信部２０９を介して、第１の無線通信装置４０１から、第１の無線通信装置４０１の機器情報を取得する。また、システム制御部２０７は、通信部２０９を介して、第２の無線通信装置４０２から、第２の無線通信装置４０２の機器情報を取得する。
【００１６】
次に、図５を参照して、機器情報が管理されている機器情報管理テーブル５００について説明する。機器情報管理テーブル５００は、メモリ２１１又はシステム制御部２０７が備えるメモリに記憶される。
機器情報管理テーブル５００では、１つのレコードが１台の通信機器を表す。機器情報管理テーブル５００の１つのレコードには、機器名５０１、型番５０２、及び、通信規格５０３の情報が含まれる。機器情報管理テーブル５００の通信規格５０３は、通信機器が対応している通信規格を表す。
システム制御部２０７は、周辺の通信機器である第１の無線通信装置４０１、及び、第２の無線通信装置４０２の機器情報を取得した後、取得した機器情報を機器情報管理テーブル５００に記録して管理する。
【００１７】
図５に示す例では、デジタルカメラ１００の周辺には、第１の無線通信装置４０１、及び、第２の無線通信装置４０２の２台の通信機器がある。
第１の無線通信装置４０１の機器名５０１は「第１の無線通信装置」であり、第１の無線通信装置４０１の型番５０２は「ＴＶ４０１」であり、第１の無線通信装置４０１の通信規格５０３は「第１の通信規格」及び「第２の通信規格」である。第１の無線通信装置４０１は、「第１の通信規格」及び「第２の通信規格」の２つの通信規格に対応し、それぞれの通信規格に対応する通信手段を有している。
【００１８】
第２の無線通信装置４０２の機器名５０１は「第２の無線通信装置」であり、第２の無線通信装置４０２の型番５０２は「ＰＣ４０２」であり、第２の無線通信装置４０２の通信規格５０３は「第２の通信規格」及び「第３の通信規格」である。第２の無線通信装置４０２は、「第２の通信規格」及び「第３の通信規格」の２つの通信規格に対応し、それぞれの通信規格に対応する通信手段を有している。
なお、第１の通信規格から第３の通信規格までの通信速度は、「第１の通信規格の通信速度」＞「第２の通信規格の通信速度」＞「第３の通信規格の通信速度」という関係にあるものとする。第１の通信規格の通信速度が最も早く、第３の通信規格の通信速度が最も遅い。
【００１９】
図３に戻って、可視化接続処理の説明を続ける。
ステップＳ３０３において、システム制御部２０７は、撮像部２０３等を制御して、撮像を行って、撮像画像を取得する。この撮像により、周辺の通信機器が撮像される。
ステップＳ３０４において、システム制御部２０７は、直近のステップＳ３０３で取得された撮像画像に写された通信機器と、ステップＳ３０２で取得された機器情報とを対応付ける。ステップＳ３０４の処理は、対応付け手段による処理の例である。
【００２０】
ステップＳ３０４の対応付けの方法の例を次に説明する。
まず、システム制御部２０７は、直近のステップＳ３０３で取得された撮像画像から、撮像画像に写された通信機器の型番を画像認識する。
次に、システム制御部２０７は、通信部２０９を介して、インターネット等のネットワークやクラウドに接続する。
次に、システム制御部２０７は、撮像画像から画像認識で得られた通信機器の型番に基づいて、インターネット等のネットワークに接続された外部の情報処理装置やクラウドから、機器情報を取得する。ここで取得される機器情報を外部取得機器情報と呼ぶ。
【００２１】
次に、システム制御部２０７は、外部取得機器情報と、ステップＳ３０２で取得され、機器情報管理テーブル５００で管理されている機器情報とが等しい場合に、次のように通信機器と機器情報とを対応付ける。すなわち、システム制御部２０７は、外部取得機器情報に対応する通信機器と、この外部取得機器情報と等しい機器情報管理テーブル５００上の機器情報とを対応付ける。
なお、外部取得機器情報と機器情報管理テーブル５００で管理されている機器情報とが等しいとは、例えば、外部取得機器情報、及び、機器情報管理テーブル５００で管理されている機器情報の機器名及び型番の少なくとも一方が等しいことを表す。
【００２２】
また、システム制御部２０７は、ステップＳ３０２で取得された機器情報に型番が含まれる場合、次の対応付けの方法を用いてもよい。
まず、システム制御部２０７は、直近のステップＳ３０３で取得された撮像画像から、撮像画像に写された通信機器の型番を画像認識する。
次に、システム制御部２０７は、画像認識で得られた型番に対応する通信機器と、画像認識で得られた型番と型番が一致する機器情報管理テーブル５００上の機器情報とを対応付ける。
【００２３】
また、システム制御部２０７は、次の対応付けの方法を用いてもよい。
まず、システム制御部２０７は、通信部２０９を介して、周辺の通信機器に、型番の情報を表示させる要求を送信する。これにより、例えば、第１の無線通信装置４０１は、第１の無線通信装置４０１の表示手段であるＬＣＤ（液晶ディスプレイ）に、第１の無線通信装置４０１の型番を表示する。
次に、システム制御部２０７は、画像処理部２０４を介して、直近のステップＳ３０３で取得された撮像画像から、周辺の通信機器が表示している型番の画像認識を行う。
次に、システム制御部２０７は、画像認識で得られた型番に対応する通信機器と、画像認識で得られた型番と型番が一致する機器情報管理テーブル５００上の機器情報とを対応付ける。
【００２４】
なお、システム制御部２０７は、型番以外の通信機器を特定可能な情報を周辺の通信機器に表示させてもよい。通信機器を特定可能な情報の型番以外の例として、通信機器ごとにユニークな二次元画像が挙げられる。
ユニークな二次元画像を用いて画像認識する方法を用いる場合、システム制御部２０７は、次の処理を行ってもよい。すなわち、システム制御部２０７は、通信部２０９を介して、周辺の各通信機器からユニークな二次元画像を取得し、周辺の各通信機器とユニークな二次元画像の組み合わせを機器情報管理テーブル５００で管理する。
また、システム制御部２０７は、ユニークな二次元画像とユニークな二次元画像に対応する型番又は機種名との対応関係の情報に基づいて、画像認識したユニークな二次元画像に対応する通信機器と、機器情報管理テーブル５００上の機器情報とを対応付ける。ユニークな二次元画像とユニークな二次元画像に対応する型番又は機種名との対応関係の情報は、予めメモリ２１１等に記憶されているものとする。
【００２５】
ステップＳ３０５において、システム制御部２０７は、重畳画面６００を表示部１０２に表示させる制御を行う。ステップＳ３０５の処理は、表示制御手段による処理の例である。
図６を参照して、重畳画面６００について説明する。図６は、重畳画面６００の例を示す図である。
重畳画面６００は、直近のステップＳ３０３で取得された撮像画像４００に、機器情報部６１０、自機画像６０１、通信接続線６０２、及び、自機情報部６０３を重畳させた画面である。ステップＳ３０５の処理で、システム制御部２０７は、重畳画面６００の撮像画像４００を更新する。
【００２６】
機器情報部６１０は、機器情報管理テーブル５００で管理されている機器情報を表示する領域である。したがって、重畳画面６００には、撮像画像４００に機器情報が重畳して表示されていることになる。直近のステップＳ３０４において撮像画像４００に写された通信機器と対応付けられた機器情報を表示する機器情報部６１０が、撮像画像４００に写された通信機器と対応付けられるように、重畳画面６００における通信機器と近接する位置に表示される。
重畳画面６００の機器情報部６１０には、機器名部６１１、及び、通信規格部６１２が含まれる。機器名部６１１は、図５に示す機器情報管理テーブル５００の機器名５０１を表示する領域である。通信規格部６１２は、図５に示す機器情報管理テーブル５００の通信規格５０３を表示する領域である。
【００２７】
図６の例では、機器情報部６１０として第１の機器情報部６１０ａと第２の機器情報部６１０ｂとが表示される。
第１の機器情報部６１０ａは、直近のステップＳ３０４において第１の無線通信装置４０１に対応付けられた機器情報を表示する領域であり、重畳画面６００において、第１の無線通信装置４０１に近接して表示される。
第１の機器情報部６１０ａの機器名部６１１には、図５に示す機器情報管理テーブル５００の第１の無線通信装置４０１の機器名５０１である「第１の無線通信装置」が表示される。
第１の機器情報部６１０ａの通信規格部６１２には、図５に示す機器情報管理テーブル５００の第１の無線通信装置４０１の通信規格５０３である「第１の通信規格」及び「第２の通信規格」が表示される。
【００２８】
同様に、第２の機器情報部６１０ｂは、直近のステップＳ３０４において第２の無線通信装置４０２に対応付けられた機器情報を表示する領域であり、重畳画面６００において、第２の無線通信装置４０２に近接して表示される。
第２の機器情報部６１０ｂの機器名部６１１には、図５に示す機器情報管理テーブル５００の第２の無線通信装置４０２の機器名５０１である「第２の無線通信装置」が表示される。
第２の機器情報部６１０ｂの通信規格部６１２には、図５に示す機器情報管理テーブル５００の第２の無線通信装置４０２の通信規格５０３である「第２の通信規格」及び「第３の通信規格」が表示される。
【００２９】
自機画像６０１は、自機であるデジタルカメラ１００を可視化したユニットであり、自機の機器名である「ＤＳＣ１２０」が表示される。
通信接続線６０２は、デジタルカメラ１００の通信接続の手段を可視化した画像であり、線（Ｂｅａｍ）で表されている。通信接続線６０２は、自機画像６０１から延伸するように重畳画面６００に表示される。通信接続線６０２は、指示画像の例である。
自機情報部６０３は、自機であるデジタルカメラ１００が対応している通信規格を表示する領域である。図６に示す例では、自機情報部６０３に、デジタルカメラ１００が対応している第１の通信規格、及び、第２の通信規格が表示されている。
【００３０】
通信接続線６０２は、自機であるデジタルカメラ１００に対する操作に基づいて、撮像画像４００に写された被写体に対して、指す位置が相対的に動く。自機であるデジタルカメラ１００に対する操作は、本実施形態では、自機の姿勢を変える操作や自機の位置を変える操作が含まれる。次に、通信接続線６０２が指す位置が撮像画像４００に写された被写体に対して相対的に移動することの詳細を説明する。
自機画像６０１、通信接続線６０２、及び、自機情報部６０３は、重畳画面６００における固定した位置に表示され、重畳画面６００内では静止している。
一方、重畳画面６００の撮像画像４００は、図３のステップＳ３０３で撮像されるごとに、ステップＳ３０５で更新される。
よって、デジタルカメラ１００のユーザがデジタルカメラ１００の姿勢や位置を変えると、自機画像６０１、通信接続線６０２、及び、自機情報部６０３は、撮像画像４００に写された被写体に対して相対的に動くことになる。
したがって、デジタルカメラ１００の姿勢や位置が変わると、撮像画像４００に写された被写体に対して通信接続線６０２が指す位置が相対的に動くことになる。
なお、通信接続線６０２が指す位置は、通信接続線６０２の先端である。通信接続線６０２の先端は、通信接続線６０２における自機画像６０１とは反対側の端部である。
【００３１】
また、重畳画面６００では、通信接続が推奨される通信機器（推奨される通信機器）と、通信接続が推奨されない通信機器（非推奨の通信機器）とが区別されるように表示される。さらに、重畳画面６００では、通信接続が推奨される通信規格（推奨される通信規格）と、通信接続が推奨されない通信規格（非推奨の通信規格）とが区別されるように表示される。
本実施形態では、重畳画面６００において、推奨される通信機器、及び、通信規格はハイライトされる。また、重畳画面６００において、非推奨の通信機器、及び、通信規格はグレーアウトされる。また、重畳画面６００において、非推奨の通信機器に対応する機器情報部６１０はグレーアウトされる。
【００３２】
システム制御部２０７は、自機が対応する通信規格、及び、機器情報に含まれる通信規格に基づいて、推奨される通信機器、非推奨の通信機器、推奨される通信規格、及び、非推奨の通信規格を決定する。この決定する処理は、決定手段による処理の例である。
より具体的には、システム制御部２０７は、例えば次のように決定する。
まず、システム制御部２０７は、それぞれの通信機器について、通信機器が対応する通信規格であり、かつ、自機が対応する通信規格の中から最も通信速度の速い通信規格（機器最速通信規格）を選択する。
次に、システム制御部２０７は、通信機器ごとに選択された機器最速通信規格から最も通信速度の速い通信規格を選択して、推奨される通信規格と決定する。また、システム制御部２０７は、推奨される通信規格に対応する通信機器を推奨される通信機器と決定する。また、システム制御部２０７は、推奨される通信規格以外の通信規格を非推奨の通信規格と決定する。また、システム制御部２０７は、推奨される通信機器以外の通信機器を非推奨の通信機器と決定する。
【００３３】
図６に示す例では、第１の無線通信装置４０１が対応する通信規格であり、かつ、自機が対応する通信規格は、第１の通信規格、及び、第２の通信規格である。この２つでは、第１の通信規格の方が通信速度が速い。したがって、システム制御部２０７は、第１の無線通信装置４０１の機器最速通信規格を第１の通信規格と決定する。
第２の無線通信装置４０２が対応する通信規格であり、かつ、自機が対応する通信規格は、第２の通信規格のみである。したがって、システム制御部２０７は、第２の無線通信装置４０２の機器最速通信規格を第２の通信規格と決定する。
また、第１の無線通信装置４０１の機器最速通信規格である第１の通信規格の通信速度の方が、第２の無線通信装置４０２の機器最速通信規格である第２の通信規格の通信速度より速い。したがって、システム制御部２０７は、第１の通信規格を、推奨される通信規格と決定する。また、システム制御部２０７は、推奨される通信規格である第１の通信規格に対応する通信機器である第１の無線通信装置４０１を推奨される通信機器と決定する。システム制御部２０７は、第２の無線通信装置４０２を非推奨の通信機器と決定し、第２の通信規格、及び、第３の通信規格を非推奨の通信機器と決定する。
【００３４】
そして、図６に示すように、重畳画面６００において、第１の機器情報部６１０ａの通信規格部６１２に表示された「第２の通信規格」は、グレー表示６２０が重畳されて、グレーアウトされる。また、重畳画面６００において、第２の無線通信装置４０２、及び、第２の機器情報部６１０ｂは、グレー表示６２１が重畳されて、グレーアウトされる。また、自機情報部６０３の「第２の通信規格」は、グレー表示６２２が重畳されて、グレーアウトされる。
【００３５】
重畳画面６００では、撮像画像４００に重畳して、撮像画像４００に写される通信機器の機器情報部６１０に機器情報が表示される。重畳画面６００により多くの機器情報を表示させるために、図３のステップＳ３０３での撮像の際に、撮像部２０３が最も広範囲を撮像できる状態になっていることが好ましい。
そこで、システム制御部２０７は、図３のステップＳ３０１において、ネットワーク可視化モードに入る操作を検知したときに、デジタルカメラ１００の外装部内部に収納されていた鏡筒１０８を外部に繰り出す制御を行う。システム制御部２０７は、鏡筒１０８を、撮像部２０３が最も広範囲を撮像できる広角側に動かす制御を行ってもよい。
【００３６】
図３に戻って、可視化接続処理の説明を続ける。
ステップＳ３０６において、システム制御部２０７は、重畳画面６００において、通信接続線６０２の先端が通信機器に合致してから所定時間が経過したか否かを判定する。システム制御部２０７は、重畳画面６００において、通信接続線６０２の先端が通信機器に合致してから所定時間が経過したとき処理をステップＳ３０７に進め、経過していないとき処理をステップＳ３０３に戻す。所定時間は、例えば３秒とする。
通信接続線６０２の先端が所定時間以上合致した通信機器が、通信接続の対象として選択された通信機器である。ステップＳ３０６において、システム制御部２０７は、通信接続線６０２の先端が所定時間以上合致した通信機器を、通信接続の対象として選択することになる。ステップＳ３０６の処理は、選択手段による処理の例である。
【００３７】
システム制御部２０７は、通信接続線６０２の先端が通信機器に合致したか否かを、例えば次のように判定する。まず、システム制御部２０７は、撮像画像４００に写された通信機器ごとに、通信機器に対応する領域である機器領域を重畳画面６００内に定める。システム制御部２０７は、機器領域を、撮像画像４００から画像認識した通信機器の像の領域と等しくする。次に、システム制御部２０７は、通信接続線６０２の先端が機器領域に含まれるとき、通信接続線６０２の先端が通信機器に合致したと判定する。したがって、システム制御部２０７は、ステップＳ３０６において、通信接続線６０２の先端が機器領域に所定時間以上含まれたか否かを判定する。
なお、システム制御部２０７は、機器領域を、撮像画像４００から画像認識した通信機器の像の一部の領域としてもよく、機器名部６１１等、機器情報部６１０の少なくとも一部としてもよい。
【００３８】
ステップＳ３０７において、システム制御部２０７は、通信部２０９を介して、ステップＳ３０６において通信接続の対象として選択された通信機器と通信接続を行う。その後、システム制御部２０７は、後に説明する図７に示すように、重畳画面６００において、通信接続を行った通信機器と重畳する位置に接続中マーク７００を表示する制御を行う。接続中マーク７００は、通信接続を行っていることを表す。ステップＳ３０７の通信接続の処理は、接続手段による処理の例である。
ステップＳ３０７において、システム制御部２０７は、次の通信規格で通信接続を行う。
ステップＳ３０６において通信接続の対象として選択された通信機器が推奨された通信機器のとき、システム制御部２０７は、推奨された通信規格で通信接続を行う。
ステップＳ３０６において通信接続の対象として選択された通信機器が推奨された通信機器ではないとき、システム制御部２０７は、自機、及び、選択された通信機器が共に対応する通信規格のうち、最も通信速度の速い通信規格で、通信接続を行う。
【００３９】
次に、図７を参照して、ステップＳ３０６、ステップＳ３０７の処理例を説明する。図７は、重畳画面６００の例を示す図である。
デジタルカメラ１００のユーザは、第１の無線通信装置４０１との通信接続を望んでいるものとする。このとき、ユーザは、図７に示すように、所持するデジタルカメラ１００の姿勢を変えてデジタルカメラ１００の角度調整を行い、重畳画面６００において、通信接続線６０２の先端を第１の無線通信装置４０１に所定時間以上合致させる。
ユーザのこの操作によって、システム制御部２０７は、ステップＳ３０６において、通信接続の対象として、第１の無線通信装置４０１を選択し、ステップＳ３０７において、第１の無線通信装置４０１と通信接続を行う。また、第１の無線通信装置４０１は、推奨される通信機器であるため、通信接続には、推奨される通信規格である第１の通信規格が使われる。
また、システム制御部２０７は、重畳画面６００において、第１の無線通信装置４０１と重畳する位置に接続中マーク７００を表示する制御を行う。
【００４０】
図３に戻って、可視化接続処理の説明を続ける。
ステップＳ３０８において、システム制御部２０７は、通信部２０９を介して、ステップＳ３０７で通信接続した通信機器に、ステップＳ３０７で用いた通信規格によって、画像データ等の所定のデータを送信する。ステップＳ３０８の処理は、送信手段による処理の例である。
【００４１】
ここで、図８を参照して、第１の無線通信装置４０１のＬＣＤの表示例について説明する。図８は、第１の無線通信装置４０１のＬＣＤの表示例を示す図である。図８の例は、図７を参照して説明したように、第１の無線通信装置４０１と通信接続を行ったときの、第１の無線通信装置４０１のＬＣＤの表示例である。
図８に示すように、第１の無線通信装置４０１のＬＣＤは、デジタルカメラ１００から受信した画像データ８００を表示する。
【００４２】
以上説明したように、デジタルカメラ１００は、撮像画像４００に、撮像画像４００の中の位置を指す通信接続線６０２が重畳して表示された重畳画面６００が表示されるように制御する。そして、デジタルカメラ１００は、撮像画像４００に写された通信機器と、通信接続線６０２が指す位置とに基づいて、通信接続の対象となる通信機器を選択して通信接続する。
よって、ユーザは、撮像画像４００を参照しながら、通信接続の対象となる通信機器を選択できる。したがって、ユーザは、通信接続したい通信機器を容易に選択できる。
【００４３】
また、デジタルカメラ１００は、通信接続線６０２を重畳画面６００の固定した位置に表示し、重畳画面６００の撮像画像４００を更新する制御を行う。
よって、ユーザは、所持するデジタルカメラ１００の姿勢や位置を変えるだけで、重畳画面６００の撮像画像４００の更新によって、通信接続線６０２が指す通信機器を変更できる。したがって、ユーザは面倒な操作をすることなく、所望の通信機器を選択できる。
【００４４】
また、通信接続線６０２は、デジタルカメラ１００の通信接続の手段を可視化した画像であるため、ユーザは、重畳画面６００において通信機器を直感的に選択できる。
また、重畳画面６００は、撮像画像４００に、撮像画像４００に写された通信機器の機器情報が重畳された画面である。よって、重畳画面６００では、撮像画像４００に写された通信機器の機器情報が可視化されており、ユーザは、通信接続したい通信機器を容易に選択できる。
【００４５】
ここで説明した実施形態では、ステップＳ３０６において、システム制御部２０７は、通信接続線６０２の先端が所定時間以上合致した通信機器を、通信接続の対象として選択する。
しかし、重畳画面６００の初期状態において、通信接続線６０２の先端が、ユーザが通信接続を望まない第２の無線通信装置４０２に合致している場合が考えられる。この場合、デジタルカメラ１００は、ユーザが通信接続を望まない第２の無線通信装置４０２を選択して、第２の無線通信装置４０２と通信接続する可能性がある。
【００４６】
このような場合を考慮して、重畳画面６００の初期状態において通信接続線６０２の先端が通信機器に合致している場合、システム制御部２０７は次のように処理してもよい。すなわち、システム制御部２０７は、通信接続線６０２の先端が通信機器から一度外れた後に、通信接続線６０２の先端が所定時間以上合致した通信機器を、通信接続の対象として選択してもよい。
【００４７】
また、システム制御部２０７は、推奨されない通信機器が選択されたとき、選択された通信機器と通信接続を行わなくてもよい。このとき、システム制御部２０７は、選択された通信機器と通信接続できない旨を重畳画面６００に表示してもよい。
【００４８】
＜第２実施形態＞
次に、本実施形態のデジタルカメラ１００について説明する。上記の実施形態と同様の点は、同符号を用いて説明を省略する。
まず、図９を参照して、本実施形態の可視化接続処理について説明する。図９は、可視化接続処理のフローチャートである。
本実施形態の可視化接続処理が、図３に示す第1実施形態の可視化接続処理と異なるのは、図９のステップＳ９０１であるため、このステップＳ９０１について説明する。図９のステップＳ９０１は、図３のステップＳ３０６に対応する処理である。
【００４９】
ステップＳ９０１において、システム制御部２０７は、重畳画面６００において、通信接続線６０２の先端が通信機器の機器オブジェクト１０００を囲むように、通信機器に対して相対的に移動したか否かを判定する。システム制御部２０７は、重畳画面６００において、通信接続線６０２の先端が通信機器の機器オブジェクトを囲むように通信機器に対して相対的に移動したとき処理をステップＳ３０７に進める。また、システム制御部２０７は、機器オブジェクトを囲むように通信機器に対して相対的に移動していないとき処理をステップＳ３０３に戻す。
通信接続線６０２の先端が囲んだ機器オブジェクト１０００に対応する通信機器が、通信接続の対象として選択された通信機器である。ステップＳ９０１において、システム制御部２０７は、通信接続線６０２の先端が囲んだ機器オブジェクト１０００に対応する通信機器を、通信接続の対象として選択することになる。
【００５０】
ここで、図１０Ａを参照して、機器オブジェクト１０００について説明する。図１０Ａは、重畳画面６００の例を示す図である。
機器オブジェクト１０００は、撮像画像４００に写された通信機器ごとに定められる通信機器に対応する領域を表すオブジェクトであり、撮像画像４００に写された通信機器の像の例えば一部の領域である。機器オブジェクト１０００は、機器領域の例である。システム制御部２０７は、通信機器ごとに機器オブジェクト１０００を定める。図１０Ａの例では、重畳画面６００に機器オブジェクト１０００が表示されているが、重畳画面６００には機器オブジェクト１０００を表示しなくてもよい。機器オブジェクト１０００と通信機器とは１対１に対応付けられている。
【００５１】
次に、図１０Ａ、図１０Ｂ、図１０Ｃ、図１０Ｄを参照して、ステップＳ９０１の動作の例を説明する。図１０Ａ、図１０Ｂ、図１０Ｃ、図１０Ｄは、重畳画面６００の例を示す図である。デジタルカメラ１００のユーザは、第１の無線通信装置４０１との通信接続を望んでいるものとする。
【００５２】
ユーザは、所持するデジタルカメラ１００の姿勢を変えてデジタルカメラ１００の角度調整を行う。そして、ユーザは、重畳画面６００において、通信接続線６０２の先端が第１の無線通信装置４０１の機器オブジェクト１０００を囲むように第１の無線通信装置４０１に対して相対的に移動させる。この様子が、図１０Ａ、図１０Ｂ、図１０Ｃ、図１０Ｄに示される。ユーザがデジタルカメラ１００の姿勢を変えることで、図１０Ａに示す通信接続線６０２の先端は、図１０Ｂ、図１０Ｃの順に、第１の無線通信装置４０１に対して相対的に移動する。さらにユーザがデジタルカメラ１００の姿勢を変えることで、図１０Ｃに示す通信接続線６０２の先端は、図１０Ｄに示すように、第１の無線通信装置４０１に対して相対的に移動して、最終的に第１の無線通信装置４０１の機器オブジェクト１０００を囲む。
図１０Ｂ、図１０Ｃ、図１０Ｄには、通信接続線６０２の先端の軌跡１００１が重畳画面６００に表示されているが、通信接続線６０２の先端の軌跡１００１は、重畳画面６００に表示されなくてもよい。
【００５３】
ユーザのこの操作によって、システム制御部２０７は、ステップＳ９０１において、通信接続の対象として、第１の無線通信装置４０１を選択し、ステップＳ３０７において、第１の無線通信装置４０１と通信接続を行う。また、第１の無線通信装置４０１は、推奨される通信機器であるため、通信接続には、第１の通信規格が使われる。
また、システム制御部２０７は、重畳画面６００において、第１の無線通信装置４０１と重畳する位置に接続中マーク７００を表示する制御を行う。
その後、上記の実施形態と同様に、システム制御部２０７は、通信部２０９を介して、第１の無線通信装置４０１に、第１の通信規格によって、画像データ等の所定のデータを送信する。
そして、図８に示すように、第１の無線通信装置４０１のＬＣＤは、デジタルカメラ１００から受信した画像データ８００を表示する。
【００５４】
以上説明したように、本実施形態では、ユーザは、通信接続したい通信機器を囲むようにデジタルカメラ１００の姿勢や位置を変えることで、ユーザの意思を通信接続に反映させる。したがって、誤ってユーザが望まない通信機器と通信接続することを回避できる。
また、上記の実施形態と同様に、ユーザは、通信接続したい通信機器を容易に選択できる。
【００５５】
なお、ステップＳ９０１において、システム制御部２０７は、重畳画面６００において、通信接続線６０２の先端が通信機器の像の少なくとも一部を囲むように、通信機器に対して相対的に移動したか否かを判定してもよい。この場合、システム制御部２０７は、重畳画面６００において、通信接続線６０２の先端が通信機器の像の少なくとも一部を囲むように通信機器に対して相対的に移動したとき処理をステップＳ３０７に進める。また、システム制御部２０７は、通信機器の像の少なくとも一部を囲むように通信機器に対して相対的に移動していないとき処理をステップＳ３０３に戻す。この例では、撮像画像４００に写された通信機器の像が機器領域の例である。また、通信接続線６０２の先端が少なくとも一部を囲んだ通信機器が、通信接続の対象として選択された通信機器である。ステップＳ９０１において、システム制御部２０７は、通信接続線６０２の先端が少なくとも一部を囲んだ通信機器を、通信接続の対象として選択することになる。
【００５６】
また、ステップＳ９０１において、システム制御部２０７は、重畳画面６００において、通信接続線６０２の先端が、機器名部６１１等の機器情報部６１０の少なくとも一部を囲むように、機器情報部６１０に対して相対的に移動したか否かを判定してもよい。この場合、システム制御部２０７は、重畳画面６００において、通信接続線６０２の先端が機器情報部６１０の少なくとも一部を囲むように機器情報部６１０に対して相対的に移動したとき処理をステップＳ３０７に進める。また、システム制御部２０７は、機器情報部６１０の少なくとも一部を囲むように機器情報部６１０に対して相対的に移動していないとき処理をステップＳ３０３に戻す。この例では、機器名部６１１等の機器情報部６１０の少なくとも一部が機器領域の例である。また、通信接続線６０２の先端が少なくとも一部を囲んだ機器情報部６１０に対応する通信機器が、通信接続の対象として選択された通信機器である。ステップＳ９０１において、システム制御部２０７は、通信接続線６０２の先端が少なくとも一部を囲んだ機器情報部６１０に対応する通信機器を、通信接続の対象として選択することになる。
【００５７】
＜その他の実施形態＞
上記の実施形態では、システム制御部２０７は、自機が対応する通信規格、及び、機器情報に含まれる通信規格に基づいて、推奨される通信機器等を決定する。しかし、システム制御部２０７は、他の方法で推奨される通信機器等を決定してもよい。
例えば、システム制御部２０７は、デジタルカメラ１００に接続されたメモリカード等の記録媒体に記録された画像データの種類に基づいて、推奨される通信機器等を決定してもよい。
より具体的には、システム制御部２０７は、記録媒体に大容量動画が記録されているときは、ＷｉＧｉｇ等の通信速度が速い通信規格を推奨する通信規格と決定し、この推奨する通信規格で通信可能な通信機器を推奨する通信機器と決定する。また、システム制御部２０７は、記録媒体に静止画が記録されているときは、ＷｉＧｉｇより通信速度が遅いＷｉ−Ｆｉ等の通信規格を推奨する通信規格と決定し、この推奨する通信規格で通信可能な通信機器を推奨する通信機器と決定する。
【００５８】
また、システム制御部２０７は、デジタルカメラ１００の表示部１０２に直近に表示した画像データに基づいて、推奨される通信機器等を決定してもよい。
より具体的には、システム制御部２０７は、表示部１０２に直近に大容量動画を表示したときは、ＷｉＧｉｇ等の通信速度が速い通信規格を推奨する通信規格と決定し、この推奨する通信規格で通信可能な通信機器を推奨する通信機器と決定する。また、システム制御部２０７は、表示部１０２に直近に静止画を表示したときは、ＷｉＧｉｇより通信速度が遅いＷｉ−Ｆｉ等の通信規格を推奨する通信規格と決定し、この推奨する通信規格で通信可能な通信機器を推奨する通信機器と決定する。
【００５９】
また、重畳画面６００では、自機が通信接続できる通信機器と、通信接続できない通信機器とが区別されるように表示されてもよい。さらに、重畳画面６００では、自機が対応している通信規格と、自機が対応していない通信規格とが区別されるように表示されてもよい。システム制御部２０７は、自機が対応している通信規格と通信機器が対応している通信規格とに基づいて、自機が通信接続できる通信機器か否かを判定する。
【００６０】
そして、重畳画面６００において、自機が通信接続できる通信機器、及び、自機が対応している通信規格はハイライトされる。また、重畳画面６００において、自機が通信接続できない通信機器、及び、自機が対応していない通信規格はグレーアウトされる。
システム制御部２０７は、自機が通信接続できない通信機器が選択されたとき、選択された通信機器と通信接続を行わない。このとき、システム制御部２０７は、選択された通信機器と通信接続できない旨を重畳画面６００に表示してもよい。
【００６１】
また、通信接続で使用する通信規格を、通信接続線６０２で選択できるようにしてもよい。例えば、システム制御部２０７は、重畳画面６００において通信接続線６０２の先端が指した通信規格部６１２の通信規格を、通信接続線６０２の先端が指した通信規格部６１２に対応する通信機器との通信接続で使用する通信規格として選択する。
【００６２】
また、システム制御部２０７は、重畳画面６００において通信接続線６０２の先端が通信機器に出入りするごと（通信接続線６０２の先端が通信機器の像に当たったり外れたりするごと）に、この通信機器について選択された通信規格を変更してもよい。通信機器について選択された通信規格とは、通信機器との通信接続で使われるものとして選択された通信規格である。
これにより、ユーザは、重畳画面６００の通信規格部６１２よりも大きい通信機器の像で通信規格を選択できるようになるため、通信規格の選択を行いやすくなる。
【００６３】
上記の実施形態では、通信接続線６０２は、重畳画面６００における固定した位置に表示され、重畳画面６００内では静止している。
しかし、システム制御部２０７は、加速度センサ２１２が検知するデジタルカメラ１００の姿勢に基づいて、重畳画面６００の中で、通信接続線６０２を動かす制御を行ってもよい。
より具体的には、システム制御部２０７は、重畳画面６００において、デジタルカメラ１００の姿勢が傾いた方向に、通信接続線６０２の先端を移動させる制御を行ってもよい。このとき、システム制御部２０７は、重畳画面６００の撮像画像４００は更新しなくてもよい。
これにより、撮像画像４００を更新する必要がなくなり、デジタルカメラ１００の処理負荷が軽減する。
【００６４】
また、システム制御部２０７は、機器情報等に基づいて、周辺の通信機器間でネットワークを構成していることを検出したときは、重畳画面６００に、通信機器間で構成されたネットワークを表す表示を行ってもよい。これにより、ユーザは、周辺の通信機器間で構成されたネットワークを参考にしながら、通信接続する通信機器を選択できる。
【００６５】
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６６】
１００  デジタルカメラ、２０７  システム制御部、４０１  第１の無線通信装置、４０２  第２の無線通信装置
【図１】
2018110283.tif 000003
【図２】
2018110283.tif 000004
【図３】
2018110283.tif 000005
【図４】
2018110283.tif 000006
【図５】
2018110283.tif 000007
【図６】
2018110283.tif 000008
【図７】
2018110283.tif 000009
【図８】
2018110283.tif 000010
【図９】
2018110283.tif 000011
【図１０Ａ】
2018110283.tif 000012
【図１０Ｂ】
2018110283.tif 000013
【図１０Ｃ】
2018110283.tif 000014
【図１０Ｄ】
2018110283.tif 000015